(57)【要約】【目的】足裏と脚部の両方を使用者の姿勢を変えることなく良好にかつ簡単にマッサージ可能とすることを目的とする。【構成】マッサージを受ける人が着座する座部の前側に、足裏をマッサージ可能な足裏用マッサージ部を備え、該足裏マッサージ部と座部前側とを、脚部のマッサージが可能なエアーマッサージ部により連結したので、マッサージを受ける人が着座した状態で姿勢を変えることなく、足裏と脚部の同時マッサージが可能となる。【選択図】図２
2004136113.tif 000002
【特許請求の範囲】
【請求項１】
　マッサージを受ける人が着座する座部の前側に、足裏をマッサージ可能な足裏マッサージ部を備えたマッサージ装置において、該足裏マッサージ部と座部前側との間に、座部前側において回動自在なエアーマッサージ部を配設するとともに、上記足裏マッサージ部を床面より浮いた状態に支持可能としたことを特徴とするマッサージ装置。
【請求項２】
　上記エアーマッサージ部は、着座した人の脚の延出方向に沿って凹入した形状であって、外部より供給された空気で膨張、収縮自在であり、脚を空気圧でマッサージ可能とすることを特徴とする請求項１に記載のマッサージ装置。
【請求項３】
　足裏マッサージ部は電動式の振動装置を内蔵し、振動による足裏のマッサージの際に、エアーマッサージ部が脚を空気圧でマッサージすることを特徴とする請求項１又は２に記載のマッサージ装置。
【発明の詳細な説明】
【技術分野】
【０００１】
　本発明は、椅子に座った状態の人の脚、特にふくらはぎや足裏をマッサージするマッサージ装置に関する。
【背景技術】
【０００２】
　マッサージ装置として、従来、実公昭５６−８６５９号公報に開示されるものが有り、これを図４、図５に示す。この図４は従来のマッサージ装置の概略構成説明図、図５は要部側面図を示す。
【０００３】
　図４において従来のマッサージ装置１００は、椅子式マッサージ機１０３の座部１０３ａの先端にギヤとピンの係合・離脱を介して略垂直位置から略水平位置まで段階的に起伏可能に取付けられる一対の金具１０２と、当該金具１０２の先端に下端が回動可能に軸支される脚部マッサージ主体１０１と、当該脚部マッサージ主体１０１の前記金具１０２と接触する裏面側に複数個配設されるマグネット１０１ｂと、前記脚部マッサージ主体１０１の表裏両面に配設され、脚部マッサージ主体１０１内に組込まれているバイブレーションマッサージ装置１０５によって振動する振動子１０１ａと、脚部マッサージ主体１０１前面の上方部両側端に突設され、金具１０２に対してピンを支点として脚部マッサージ主体１０１を前方に倒した時支持脚となる弾性脚体１０１ｃとを備える構成である。（図５も参照）
【０００４】
　次に、前記構成に基づく従来のマッサージ装置１００のマッサージ動作を説明する。人が椅子式マッサージ機１０３に座り、ふくらはぎをマッサージする場合には、脚部マッサージ主体１０１が金具１０２にマグネット１０１ｂを重ね合せて吸着させた状態で、金具１０２を脚部マッサージ主体１０１ごと略垂直位置から適宜起して脚部マッサージ主体１０１の表面側の振動子１０１ｄがふくらはぎに当るようにしてから（図４中仮想線の位置）、バイブレーションマッサージ装置１０５を作動させ、ふくらはぎにマッサージ効果を与える。一方、足裏をマッサージする場合には、マグネット１０１ｂの吸着力を解除して金具１０２から脚部マッサージ主体１０１を離反させて前方に倒し、弾性脚体１０１Ｃが床面に付いて支持した状態とする。脚部マッサージ主体１０１裏面側に足を載せ、バイブレーションマッサージ装置１０５を作動させると、前記ふくらはぎ用の振動子１０１ｄと反対側に位置する振動子１０１ａにより足裏にマッサージ効果が与えられる。この従来のマッサージ装置１００は、使用しない時は脚部マッサージ主体１０１を折畳んで座部１０３ａの下に収納でき、邪魔にならない。
【特許文献１】実公昭５６−８６５９号公報
【発明の開示】
【発明が解決しようとする課題】
【０００５】
　しかしながらこの様な従来例においては足裏とふくらはぎのような脚のいずれをもマッサージ可能であるが、同時にマッサージすることが出来なかった。
　また、足裏のマッサージの際に脚を保持することはないので安定した足裏のマッサージは出来なかった。
【０００６】
　本発明は前記課題を解決するためになされたものであって、足裏と脚の両方を使用者の姿勢を変えることなく良好に且つ簡単にマッサージ可能とすることを目的とする。
【課題を解決するための手段】
【０００７】
　このために本発明では、マッサージを受ける人が着座する座部の前側に、足裏をマッサージ可能な足裏マッサージ部を備えたマッサージ装置において、該足裏マッサージ部と座部前側との間に、座部前側において回動自在なエアーマッサージ部を配設するとともに、上記足裏マッサージ部を床面より浮いた状態に支持可能とした。
【０００８】
　したがって、本発明においてはマッサージを受ける人が着座した状態で姿勢を変えることなく、足裏と脚のマッサージが可能となる。もちろん足裏のマッサージの際に、エアーマッサージを行なうことも可能である。
【０００９】
　また、請求項２に係る発明においては、上記エアーマッサージ部は、着座した人の脚の延出方向に沿って凹入した形状であって、外部より供給された空気で膨張、収縮自在であり、脚を空気圧でマッサージ可能とするものである。
【００１０】
　したがって、上記作用に加え、特に足裏のマッサージ時の脚の安定性が向上し、足裏に良好なマッサージ効果を得られる。
【００１１】
　また、請求項３に係る発明においては、足裏マッサージ部は電動式の振動装置を内蔵し、振動による足裏のマッサージの際に、エアーマッサージ部が脚を空気圧でマッサージすることを特徴とする。
【発明を実施するための最良の形態】
【００１２】
　以下、本発明の実施の形態に係るマッサージ装置を図１〜図３に基づいて説明する。この図１は本実施の形態に係るマッサージ装置のふくらはぎマッサージ状態説明図、図２は本実施の形態に係るマッサージ装置の足裏マッサージ状態説明図、図３は本実施の形態に係るマッサージ装置のエアーマッサージ部の概略構成図を示す。
【００１３】
　図２に示すように、本実施の形態に係るマッサージ装置３は、マッサージを受ける人が着座する座部の前側に、足裏をマッサージ可能な足裏マッサージ部を備え、該足裏マッサージ部と座部前側との間に、エアーマッサージ部を配設した構成である。
【００１４】
　図２・図３からも明らかなように、上記エアーマッサージ部３２は、着座した人の脚の延出方向に沿って凹入した形状であって、座部５１先端のベース３３の軸支点を中心に回動自在となっている。
【００１５】
　またエアーマッサージ部３２の先端側において足裏マッサージ部３１との回動が枢支されている。
この構成により、エアーマッサージ部３２に対し足裏マッサージ部３１は所定の回動角を限度として回動自在となっている。
【００１６】
　前記各図に示すように、本実施の形態に係るマッサージ装置３は、足裏をマッサージする際に足首を支え、かつ足首からふくらはぎ下部にかけてマッサージを行うエアーマッサージ部３２により足裏マッサージ部３１を支持する構成である。また、マッサージ部３１は、エアーマッサージ部３２に軸着される中空の防振枠体１１ａの表裏両面に蓋体３１ｂと底体３１ｃを配設し、電動式の振動装置３１ｄを備えた構成であるが、薄形に構成したものである。
【００１７】
　エアーマッサージ部３２は、足裏のマッサージの際に足裏をマッサージ部３１に載せた状態の両足首を下と横から包むように支える形状で、一端部の両側に一対の切欠部３２ａを形成され、前記一端部をベース３３に回動自在かつ略水平位置で切欠部３２ａ及びピン３３ａが係合して位置を保持されるよう軸支されており、他端部に所定角度範囲で回動自在にマッサージ部３１を軸着される構成である。エアーマッサージ部３２は外部より供給された空気で膨張、収縮自在であり、脚部を上方から挿入、離脱可能であって、足首を空気圧でマッサージする仕組みである。
【００１８】
　次に、前記構成に基づく本実施の形態のマッサージ動作について説明する。まず、折畳んで座部５１下に収納したエアーマッサージ部３２及びマッサージ部３１を座部５１先端のベース３３の軸支点を中心に上方に起す。マッサージ部３１が椅子５０の座面５１ａと略等しい高さでその上面が前下がりに傾いた状態となる位置まで動かしたら、エアーマッサージ部３２の切欠部３２ａとベース３３のピン３３ａとを係合させてエアーマッサージ部３２及びマッサージ部３１を動かないように固定する。
【００１９】
　この状態で人が椅子５０に座り、マッサージ部３１の上面をなす蓋体３１ｂに脚のふくらはぎを載せ、振動装置３１ｄを作動させると、ふくらはぎと接する蓋体３１ｂが振動し、ふくらはぎへのマッサージ効果が得られる。一方、足裏のマッサージを行う場合には、前記の状態から切欠部３２ａとピン３３ａとの係合を保持したまま、ストッパ手段３４により拡開量が規制されるまでマッサージ部３１をエアーマッサージ部３２に対して前方に起し、所定角度に起立した状態にして、椅子５０の座面５１ａより高い位置でマッサージ部３１がその裏面を椅子５０に座った人に対向させた状態とする。マッサージ部３１の人に対向する裏面をなす底体３１ｃに足裏を載せると共に、エアーマッサージ部３２に足首を保持させ、振動装置３１ｄを作動させると、足裏と接する底体３１ｃが振動し、足裏へのマッサージ効果が得られる。
【００２０】
　足裏のマッサージにおいては、マッサージ部３１が座面５１ａより上にあり、かつ起立していることで、人は背中を椅子５０に押付けると共に脚を踏ん張ってマッサージ部３１に強く足裏を押付ける姿勢になる上、エアーマッサージ部３２で足首を支えられて足裏の位置が変りにくいため、マッサージ部３１から足裏に高いマッサージ効果を与えることができる。この足裏のマッサージの際に、エアーマッサージ部３２においては、空気圧により足首からふくらはぎ下部にかけてもマッサージを行うことができ、足裏へのマッサージと合せてマッサージ効果を大きくできる。
【００２１】
　本実施の形態に係るマッサージ装置３では、足裏へのマッサージにおいて足首を支えるので姿勢が安定し、常時正しくマッサージ効果を与えられる。また、足首やふくらはぎ下部などの脚部にもマッサージ効果を与えることができ、マッサージできる範囲が大きく足の血行を良くしてマッサージ効果を向上させられ、効率よくマッサージが行える。
【００２２】
　なお、前記実施の形態においては、エアーマッサージ部からの空気圧でマッサージを行う構成としているが、エアーマッサージ部に振動装置を内蔵させ、振動によりマッサージ効果を与えるなど、マッサージの方法としては他の方法を用いても構わない。
【図面の簡単な説明】
【００２３】
【図１】発明の実施の形態に係るマッサージ装置のふくらはぎマッサージ状態説明図である。
【図２】本発明の実施の形態に係るマッサージ装置の足裏マッサージ状態説明図である。
【図３】本発明の実施の形態に係るマッサージ装置のエアーマッサージ部の概略構成図である。
【図４】従来のマッサージ装置の概略構成斜視図である。
【図５】従来のマッサージ装置の概略構成側面図である。
【符号の説明】
【００２４】
　３　　マッサージ装置
　３１　足裏マッサージ部
　３２　エアーマッサージ部
　５０　椅子
　５１　座部
【図１】
2004136113.tif 000003
【図２】
2004136113.tif 000004
【図３】
2004136113.tif 000005
【図４】
2004136113.tif 000006
【図５】
2004136113.tif 000007